(57)【特許請求の範囲】
【請求項１】
設置面に固定される矩形状の底板を有する下ハーフと、設置物を据え付ける矩形状の天板を有する上ハーフとからなり、これらの下ハーフと上ハーフの一辺側を第１の支軸で回動自在に連結するとともに、連結した一辺と直角な対向する二辺で、下ハーフと上ハーフとに内外に重なる側板を設けて、これらの下ハーフと上ハーフの各側板の連結側と反対側で、少なくとも一方の側板に、前記第１の支軸を中心とする１つまたは複数の円周上に複数の傾斜調整孔を設け、他方の側板に、前記下ハーフと上ハーフを回動させたときに、前記一方の側板のいずれかの傾斜調整孔と重なり合う少なくとも１つの傾斜調整孔を設けて、所定の回動角度で重なり合う前記各側板の傾斜調整孔に第２の支軸を通し、前記下ハーフと上ハーフ間の回動角度を前記設置面の傾斜角度に合わせて固定する設置物据付け台において、前記下ハーフと上ハーフの各側板の前記連結側に連結孔を設けて、少なくとも一方の側板の前記連結孔を高さ位置の異なる複数箇所に設け、前記各側板の連結側と反対側に、それぞれの側板自身の各連結孔と高さ位置が等しく、各連結孔からの水平方向距離が側板同士で互いに等しい高さ調整孔を設け、前記各側板の連結側のいずれかの連結孔同士を重ね合わせて、これらの重ね合わせた連結孔に前記第１の支軸を通し、この第１の支軸を通した各連結孔と高さ位置が等しい、前記各側板の連結側と反対側の前記高さ調整孔同士を重ね合わせて、これらの重ね合わせた高さ調整孔に前記第２の支軸を通し、前記据付け台の高さを前記設置面の段差に合わせて固定するようにしたことを特徴とする設置物据付け台。
【請求項２】
前記一方の側板に設けた高さ調整孔の少なくとも１つを、前記傾斜調整孔として利用するようにした請求項１に記載の設置物据付け台。
【発明の詳細な説明】
【技術分野】
【０００１】
この発明は、自動販売機等の重量のある設置物を、傾斜や段差のある設置面に据え付けるための設置物据付け台に関する。
【背景技術】
【０００２】
自動販売機等の重量のある設置物を屋外等の設置面に据え付ける際には、設置面が水平でなく、左右方向または前後方向の一方向に傾斜や段差を有することがある。このような水平でない設置面に設置物を簡便に据え付けるための設置物据付け台としては、一方向に傾斜する設置面を想定して、設置面に固定される矩形状の底板を有する下ハーフと、設置物を据え付ける矩形状の天板を有する上ハーフとからなり、下ハーフと上ハーフの一辺側を第１の支軸で回動自在に連結するとともに、連結した一辺と直角な対向する二辺で、下ハーフと上ハーフとに内外に重なる側板を設けて、これらの下ハーフと上ハーフの各側板の連結側と反対側で、少なくとも一方の側板に、第１の支軸を中心とする１つまたは複数の円周上に複数の傾斜調整孔を設け、他方の側板に、下ハーフと上ハーフを回動させたときに一方の側板のいずれかの傾斜調整孔と重なり合う少なくとも１つの傾斜調整孔を設け、所定の回動角度で重なり合う各側板の傾斜調整孔に第２の支軸を通して、下ハーフと上ハーフ間の回動角度を設置面の傾斜角度に合わせて固定するものが提案されている（例えば、特許文献１、２参照）。
【０００３】
特許文献１に記載されたものは、下ハーフと上ハーフの一辺側を第１の支軸としてのヒンジ軸で回動自在に連結し、下ハーフと上ハーフの各側板の連結側と反対側に、ヒンジ軸を中心とする複数の円周上に１つずつ傾斜調整孔を設けて、いずれかの円周上に設けた傾斜調整孔同士を重ね合わせて、重ね合わせた傾斜調整孔に第２の支軸としてのボルトを通すことにより、下ハーフと上ハーフ間の回動角度を設置面の傾斜角度に合わせて固定するようにしている。
【０００４】
特許文献２に記載されたものは、下ハーフの側板の一端部に第１の孔を設け、他端部に第１の孔と高さ位置が異なる第２の孔を設けるとともに、上ハーフの側板の一端部に第３の孔を設け、他端部に第３の孔を中心とする１つの円周上に複数の傾斜調整孔を設けて、第１の孔と第３の孔、または第２の孔と第３の孔を重ね合わせ、これらの重ね合わせた孔に第１の支軸を通し、下ハーフの側板の第２の孔または第１の孔を傾斜調整孔として、上ハーフの側板のいずれかの傾斜調整孔を重ね合わせ、これらの重ね合わせた傾斜調整孔に第２の支軸を通すことにより、着脱自在とした下ハーフと上ハーフ間の回動角度を設置面の傾斜角度に合わせて固定するようにしている。
【先行技術文献】
【特許文献】
【０００５】
【特許文献１】特開２００３−３４６２３３号公報
【特許文献２】特許第４１５６４７１号公報
【発明の概要】
【発明が解決しようとする課題】
【０００６】
特許文献１、２に記載された従来の設置物据付け台は、一方向に傾斜した設置面には、設置物を簡便に据え付けることができるが、段差を有する設置面には採用できない問題がある。なお、設置面の段差が小さい場合は、設置物側に高さ調整ボルトを設けて、高さを微調整することが考えられるが、設置面の段差が大きい場合は、高さ調整ボルトを長くする必要があり、設置物の重量によって長い高さ調整ボルトが座屈変形する恐れがあり、据え付けが不安定になる問題がある。
【０００７】
そこで、本発明の課題は、一方向に傾斜する設置面のみでなく、大きな段差を有する設置面にも、重量のある設置物を安定して据え付けることができる設置物据付け台を提供することである。
【課題を解決するための手段】
【０００８】
上記の課題を解決するために、本発明は、設置面に固定される矩形状の底板を有する下ハーフと、設置物を据え付ける矩形状の天板を有する上ハーフとからなり、これらの下ハーフと上ハーフの一辺側を第１の支軸で回動自在に連結するとともに、連結した一辺と直角な対向する二辺で、下ハーフと上ハーフとに内外に重なる側板を設けて、これらの下ハーフと上ハーフの各側板の連結側と反対側で、少なくとも一方の側板に、前記第１の支軸を中心とする１つまたは複数の円周上に複数の傾斜調整孔を設け、他方の側板に、前記下ハーフと上ハーフを回動させたときに、前記一方の側板のいずれかの傾斜調整孔と重なり合う少なくとも１つの傾斜調整孔を設けて、所定の回動角度で重なり合う前記各側板の傾斜調整孔に第２の支軸を通し、前記下ハーフと上ハーフ間の回動角度を前記設置面の傾斜角度に合わせて固定する設置物据付け台において、前記下ハーフと上ハーフの各側板の前記連結側に連結孔を設けて、少なくとも一方の側板の前記連結孔を高さ位置の異なる複数箇所に設け、前記各側板の連結側と反対側に、それぞれの側板自身の各連結孔と高さ位置が等しく、各連結孔からの水平方向距離が側板同士で互いに等しい高さ調整孔を設け、前記各側板の連結側のいずれかの連結孔同士を重ね合わせて、これらの重ね合わせた連結孔に前記第１の支軸を通し、この第１の支軸を通した各連結孔と高さ位置が等しい、前記各側板の連結側と反対側の前記高さ調整孔同士を重ね合わせて、これらの重ね合わせた高さ調整孔に前記第２の支軸を通し、前記据付け台の高さを前記設置面の段差に合わせて固定する構成を採用した。
【０００９】
すなわち、下ハーフと上ハーフの各側板の連結側に連結孔を設けて、少なくとも一方の側板の連結孔を高さ位置の異なる複数箇所に設け、各側板の連結側と反対側に、それぞれの側板自身の各連結孔と高さ位置が等しく、各連結孔からの水平方向距離が側板同士で互いに等しい高さ調整孔を設け、各側板の連結側のいずれかの連結孔同士を重ね合わせて、これらの重ね合わせた連結孔に第１の支軸を通し、この第１の支軸を通した各連結孔と高さ位置が等しい、各側板の連結側と反対側の高さ調整孔同士を重ね合わせて、これらの重ね合わせた高さ調整孔に第２の支軸を通し、据付け台の高さを設置面の段差に合わせて固定することにより、一方向に傾斜する設置面のみでなく、大きな段差を有する設置面にも、重量のある設置物を安定して据え付けることができるようにした。
【００１０】
前記一方の側板に設けた高さ調整孔の少なくとも１つを、前記傾斜調整孔として利用することにより、一方の側板の傾斜調整孔の数を少なくすることができる。
【発明の効果】
【００１１】
本発明に係る設置物据付け台は、下ハーフと上ハーフの各側板の連結側に連結孔を設けて、少なくとも一方の側板の連結孔を高さ位置の異なる複数箇所に設け、各側板の連結側と反対側に、それぞれの側板自身の各連結孔と高さ位置が等しく、各連結孔からの水平方向距離が側板同士で互いに等しい高さ調整孔を設け、各側板の連結側のいずれかの連結孔同士を重ね合わせて、これらの重ね合わせた連結孔に第１の支軸を通し、この第１の支軸を通した各連結孔と高さ位置が等しい、各側板の連結側と反対側の高さ調整孔同士を重ね合わせて、これらの重ね合わせた高さ調整孔に第２の支軸を通し、据付け台の高さを設置面の段差に合わせて固定するようにしたので、一方向に傾斜する設置面のみでなく、大きな段差を有する設置面にも、重量のある設置物を安定して据え付けることができる。
【図面の簡単な説明】
【００１２】
【図１】設置物据付け台の実施形態を示す分解斜視図
【図２】（ａ）は図１の設置物据付け台を段差設置面用に組み立てた状態を示す斜視図、（ｂ）は（ａ）の縦断正面図
【図３】（ａ）は図２の縦断側面図、（ｂ）は（ａ）の高さを変えた状態を示す縦断側面図
【図４】図３（ｂ）の状態に組み立てた設置物据付け台を段差設置面で使用する状態を示す側面図
【図５】（ａ）、（ｂ）、（ｃ）は、それぞれ図１の設置物据付け台を傾斜設置面用に組み立てた状態を示す縦断側面図
【図６】図５（ｃ）の状態に組み立てた設置物据付け台を傾斜設置面で使用する状態を示す側面図
【発明を実施するための形態】
【００１３】
以下、図面に基づき、本発明の実施形態を説明する。この設置物据付け台は、設置物としての自動販売機Ａを傾斜や段差のある設置面に据え付けるためのものであり、図１に示すように、設置面に固定される矩形状の底板２を有する下ハーフ１と、設置物を据え付ける矩形状の天板１２を有する上ハーフ１１とからなり、下ハーフ１と上ハーフ１１の対向する二辺には、それぞれ上向きと下向きで内外に重なる側板３、１３が設けられている。下ハーフ１の底板２にはアンカーボルト（図示省略）を通す３つの貫通孔２ａが設けられ、上ハーフ１１の天板１２には設置物据付け用の貫通孔１２ａが設けられている。また、天板１２には側板１３と直角な二辺に下向きの鍔１２ｂが設けられている。
【００１４】
前記下ハーフ１と上ハーフ１１の各側板３、１３の一端側には、第１の支軸としての一対のボルト２１が通される連結孔４、１４ａ、１４ｂが設けられている。下ハーフ１の側板３の連結孔４は１箇所に、上ハーフ１１の側板１３の連結孔１４ａ、１４ｂは高さ位置の異なる２箇所に設けられており、連結孔４と連結孔１４ａ、１４ｂのいずれか一方が重ね合わされて一対のボルト２１が通され、下ハーフ１と上ハーフ１１が第１の支軸の回りに回動自在に連結される。
【００１５】
前記下ハーフ１と上ハーフ１１の各側板３、１３の他端側には、それぞれの側板自身の各連結孔４、１４ａ、１４ｂと高さ位置が等しく、各連結孔４、１４ａ、１４ｂからの水平方向距離が側板同士で互いに等しい高さ調整孔５、１５ａ、１５ｂが設けられている。したがって、側板３の高さ調整孔５は１箇所に、側板１３の高さ調整孔１５ａ、１５ｂは高さ位置の異なる２箇所に設けられている。
【００１６】
また、前記下ハーフ１の側板３の他端側には、前記第１の支軸を中心とする２つの円周上に３つの傾斜調整孔６ａ、６ｂ、６ｃが設けられ、上ハーフ１１の側板１３の他端側には、第１の支軸を中心とする同じ２つの円周上に１つずつ傾斜調整孔１６ａ、１６ｂが設けられている。なお、上ハーフ１１の側板１３の傾斜調整孔１６ａは、高さ調整孔１５ｂと兼用とされている。
【００１７】
前記下ハーフ１の側板３の高さ調整孔５またはいずれかの傾斜調整孔６ａ、６ｂ、６ｃは、上ハーフ１１の側板１３のいずれかの高さ調整孔１５ａ、１５ｂまたはいずれかの傾斜調整孔１６ａ、１６ｂと重ね合わされて、第２の支軸としての一対のボルト２２が通され、後述するように、下ハーフ１と上ハーフ１１を組み立てたときの高さ寸法、または下ハーフ１と上ハーフ１１間の回動角度が調整される。
【００１８】
図２（ａ）、（ｂ）および図３（ａ）は、上述した設置物据付け台を、小さい段差の設置面用に組み立てた状態を示す。この状態では、第１の支軸としての一対のボルト２１が、重ね合わされた下ハーフ１の側板３の連結孔４と上ハーフ１１の側板１３の上側の連結孔１４ａに通され、第２の支軸としての一対のボルト２２が、重ね合わされた側板３の高さ調整孔５と側板１３の上側の高さ調整孔１５ａに通されており、据付け台の高さ寸法が低くなっている。なお、側板３の連結孔４はボルト２１と螺合するねじ孔とされ、側板１３の各連結孔１４ａ、１４ｂはストレートなボルト孔とされている。図示は省略するが、内側に重ねられる下ハーフ１の側板３の高さ調整孔５と各傾斜調整孔６ａ、６ｂ、６ｃはいずれもねじ孔とされ、外側に重ねられる上ハーフ１１の側板１３の各高さ調整孔１５ａ、１５ｂと傾斜調整孔１６ａ、１６ｂはいずれもボルト孔とされている。
【００１９】
図３（ｂ）は、上述した設置物据付け台を大きい段差の設置面用に組み立てた状態を示す。この状態では、一対のボルト２１が、重ね合わされた下ハーフ１の側板３の連結孔４と上ハーフ１１の側板１３の下側の連結孔１４ｂに通され、一対のボルト２２が、重ね合わされた側板３の高さ調整孔５と側板１３の下側の高さ調整孔１５ｂに通されており、据付け台の高さ寸法が高くなっている。
【００２０】
図４は、図３（ｂ）の状態に組み立てた設置物据付け台を、大きな段差の設置面で使用する状態を示す。この設置面は自動販売機Ａの前側が低い段差となっており、この前側の設置面に、設置物据付け台の下ハーフ１の底板２がアンカーボルト２３で固定され、上ハーフ１１の天板１２の上に、受け板２４ａと高さ調整ボルト２５を介して、自動販売機Ａの前側が据え付けられている。自動販売機Ａの後側は、設置面にアンカーボルト２３で固定された受け板２４ｂと高さ調整ボルト２５を介して据え付けられている。
【００２１】
図５（ａ）、（ｂ）、（ｃ）は、上述した設置物据付け台を、それぞれ一方向に傾斜する設置面用に、組み立てた状態を示す。前記第１の支軸としての一対のボルト２１は、いずれの場合も、重ね合わされた下ハーフ１の側板３の連結孔４と上ハーフ１１の側板１３の上側の連結孔１４ａに通されている。
【００２２】
図５（ａ）の場合は、前記第２の支軸としての一対のボルト２２が、重ね合わされた側板３の傾斜調整孔６ａと側板１３の傾斜調整孔１６ａに通され、下ハーフ１と上ハーフ１１間の回動角度が最も小さい５°になっている。また、図５（ｂ）の場合は、一対のボルト２２が、重ね合わされた側板３の傾斜調整孔６ｃと側板１３の傾斜調整孔１６ｂに通され、下ハーフ１と上ハーフ１１間の回動角度が中間の１２°になっており、図５（ｃ）の場合は、一対のボルト２２が、重ね合わされた側板３の傾斜調整孔６ｂと側板１３の傾斜調整孔１６ｂに通され、下ハーフ１と上ハーフ１１間の回動角度が最も大きい１８°になっている。
【００２３】
図６は、図５（ｃ）の状態に組み立てた設置物据付け台を、一方向に傾斜する設置面で使用する状態を示す。この設置面は自動販売機Ａの前側が低くなるように傾斜しており、この前側の設置面に、設置物据付け台の下ハーフ１の底板２がアンカーボルト２３で固定され、上ハーフ１１の天板１２の上に、受け板２４ａと高さ調整ボルト２５を介して、自動販売機Ａの前側が据え付けられている。自動販売機Ａの後側は、設置面にアンカーボルト２３で固定された受け板２４ｂと高さ調整ボルト２５を介して据え付けられている。
【００２４】
上述した実施形態では、上ハーフの側板の連結孔と高さ調整孔を高さの異なる２箇所に設け、高さを２段階に調整できるようにしたが、連結孔と高さ調整孔を高さの異なる３箇所以上に設け、高さを３段階以上に調整できるようにしてもよい。また、下ハーフの側板の連結孔と高さ調整孔を高さの異なる２箇所以上に設けることもできる。
【符号の説明】
【００２５】
１  下ハーフ
２  底板
２ａ  貫通孔
３  側板
４  連結孔
５  高さ調整孔
６ａ、６ｂ、６ｃ、６ｄ  傾斜調整孔
１１  上ハーフ
１２  天板
１２ａ  貫通孔
１２ｂ  鍔
１３  側板
１４ａ、１４ｂ  連結孔
１５ａ、１５ｂ  高さ調整孔
１６ａ、１６ｂ  傾斜調整孔
２１、２２  ボルト
２３  アンカーボルト
２４ａ、２４ｂ  受け板
２５  高さ調整ボルト
【図１】
0005441259.tif 000002
【図２】
0005441259.tif 000003
【図３】
0005441259.tif 000004
【図４】
0005441259.tif 000005
【図５】
0005441259.tif 000006
【図６】
0005441259.tif 000007